(57)【要約】【課題】電気光学装置の画素におけるデータ線からの電磁的な干渉を低減しつつ積層構造を簡略化させる。【解決手段】電気光学装置用基板は、半導体層１ａよりも上層側に配置され、チャネル領域１ａ’に重なる第１ゲート電極３ａと、半導体層１ａよりも下層側に配置され、チャネル領域ａ’に重なる第２ゲート電極３ｂとを有するＴＦＴ３０と、第１ゲート電極３ａ及び第２ゲート電極３ｂに電気的に接続されると共にＸ方向に沿って延在する走査線と、第２ゲート電極３ｂよりも下層側に配置され、データ線側ソースドレイン領域１ｄに電気的に接続されると共にＸ方向に交差するＹ方向に沿って延在するデータ線６ａとを備える。【選択図】図６
2008191518.tif 000002
【特許請求の範囲】
【請求項１】
基板上に、
（ｉ）チャネル領域、データ線側ソースドレイン領域及び画素電極側ソースドレイン領域を有する半導体層と（ｉｉ）該半導体層よりも上層側に配置され、前記チャネル領域に重なる第１ゲート電極と（ｉｉｉ）前記半導体層よりも下層側に配置され、前記チャネル領域に重なる第２ゲート電極とを有するトランジスタと、
前記トランジスタよりも上層側に配置され、下側電極、誘電体膜及び上側電極が下層側から順に積層されてなる蓄積容量と、
前記蓄積容量よりも上層側に配置され、前記蓄積容量及び前記画素電極側ソースドレイン領域に電気的に接続された画素電極と、
前記第１及び第２ゲート電極に電気的に接続されると共に第１方向に沿って延在する走査線と、
前記第２ゲート電極よりも下層側に配置され、前記データ線側ソースドレイン領域に電気的に接続されると共に前記第１方向に交差する第２方向に沿って延在するデータ線と
を備えたことを特徴とする電気光学装置用基板。
【請求項２】
前記走査線は、前記第１及び第２ゲート電極の少なくとも一方と同一膜からなることを特徴とする請求項１に記載の電気光学装置用基板。
【請求項３】
前記データ線は、前記半導体層に対して少なくとも部分的に重なるように配置されることを特徴とする請求項１又は２に記載の電気光学装置用基板。
【請求項４】
前記第２ゲート電極は、前記半導体層に対して、前記チャネル領域から前記データ線側ソースドレイン領域及び前記画素電極側ソースドレイン領域のうち少なくとも一方と重なるように配置されることを特徴とする請求項１から３のいずれか一項に記載の電気光学装置用基板。
【請求項５】
前記トランジスタは前記第２方向に沿って配置されることを特徴とする請求項１から４のいずれか一項に記載の電気光学装置用基板。
【請求項６】
前記第２ゲート電極及び前記データ線のうち少なくとも一方は遮光性の導電材料を含んでなることを特徴とする請求項１から５のいずれか一項に記載の電気光学装置用基板。
【請求項７】
前記導電材料には、高融点金属材料が含まれることを特徴とする請求項６に記載の電気光学装置用基板。
【請求項８】
前記第１及び第２ゲート電極は互いに電気的に接続されることを特徴とする請求項１から７のいずれか一項に記載の電気光学装置用基板。
【請求項９】
前記半導体層は、前記チャネル領域及び前記データ線側ソースドレイン領域間に形成されたデータ線側ＬＤＤ領域と、前記チャネル領域及び前記画素電極側ソースドレイン領域間に形成された画素電極側ＬＤＤ領域とを有することを特徴とする請求項１から８のいずれか一項に記載の電気光学装置用基板。
【請求項１０】
請求項１から９のいずれか一項に記載の電気光学装置用基板を備えたことを特徴とする電気光学装置。
【請求項１１】
請求項１０に記載の電気光学装置を具備してなることを特徴とする電子機器。
【発明の詳細な説明】
【技術分野】
【０００１】
本発明は、例えば液晶装置等の電気光学装置に用いられる電気光学装置用基板、及び該電気光学装置用基板を備えてなる電気光学装置、並びに該電気光学装置を備えた、例えば液晶プロジェクタ等の電子機器の技術分野に関する。
【背景技術】
【０００２】
この種の電気光学装置は、基板上に、画素電極と、該画素電極の選択的な駆動を行うための走査線、データ線、及び画素スイッチング用素子としてのＴＦＴ（Thin Film Transistor）とを備え、アクティブマトリクス駆動可能に構成される。また、高コントラスト化等を目的として、ＴＦＴと画素電極との間に蓄積容量が設けられることがある。以上の構成要素は基板上に高密度で作り込まれ、画素開口率の向上や装置の小型化が図られる（例えば、特許文献１参照）。
【０００３】
このように、電気光学装置には更なる表示の高品質化や小型化・高精細化が要求されており、上記以外にも様々な対策が講じられている。例えば、ＴＦＴの半導体層に光が入射すると、光リーク電流が発生し、表示品質が低下してしまうことから、電気光学装置の耐光性を高めるために該半導体層の周囲に遮光層が設けられる。また、蓄積容量はできるだけ容量が大きい方が望ましいが、その反面で、画素開口率を犠牲にしないように設計するのが望ましい。
【０００４】
【特許文献１】特開２００２−１５６６５２号公報
【発明の開示】
【発明が解決しようとする課題】
【０００５】
しかしながら、上述した技術によれば、高機能化或いは高性能化に伴って、基板上における積層構造が、基本的に複雑高度化している。これは更に、製造方法の複雑高度化、製造歩留まりの低下等を招いている。逆に、基板上における積層構造や製造プロセスを単純化しようとすれば、蓄積容量の容量不足、遮光性能の低下等による表示品位の低下を招きかねないという技術的問題点がある。
【０００６】
本発明は、例えば上記問題点に鑑みなされたものであり、積層構造や製造プロセスの単純化を図るのに適しており、しかも高品質な表示が可能な電気光学装置用基板、及びそのような電気光学装置用基板を備えた電気光学装置、並びにそのような電気光学装置を具備してなる電子機器を提供することを課題とする。
【課題を解決するための手段】
【０００７】
本発明の電気光学装置用基板は上記課題を解決するために、基板上に、（ｉ）チャネル領域、データ線側ソースドレイン領域及び画素電極側ソースドレイン領域を有する半導体層と（ｉｉ）該半導体層よりも上層側に配置され、前記チャネル領域に重なる第１ゲート電極と（ｉｉｉ）前記半導体層よりも下層側に配置され、前記チャネル領域に重なる第２ゲート電極とを有するトランジスタと、前記トランジスタよりも上層側に配置され、下側電極、誘電体膜及び上側電極が下層側から順に積層されてなる蓄積容量と、前記蓄積容量よりも上層側に配置され、前記蓄積容量及び前記画素電極側ソースドレイン領域に電気的に接続された画素電極と、前記第１及び第２ゲート電極に電気的に接続されると共に第１方向に沿って延在する走査線と、前記第２ゲート電極よりも下層側に配置され、前記データ線側ソースドレイン領域に電気的に接続されると共に前記第１方向に交差する第２方向に沿って延在するデータ線とを備える。
【０００８】
本発明の電気光学装置用基板を用いた電気光学装置によれば、その動作時には、走査線を介して走査信号がトランジスタに順次供給され、データ線からトランジスタを介して画像信号が画素電極及び蓄積容量に書き込まれる。これにより、複数の画素における、アクティブマトリクス駆動等の所定種類の動作が可能となる。この際、蓄積容量の存在により、画素電極における電位保持特性が向上し、コントラストやフリッカといった表示特性の向上が可能となる。
【０００９】
ここで、例えば、走査線、データ線、蓄積容量及びトランジスタは、基板上で平面的に見て、画素電極に対応する各画素の開口領域（即ち、各画素において、表示に実際に寄与する光が透過又は反射される領域）を囲む非開口領域内に配置されている。即ち、これらの走査線、データ線、蓄積容量及びトランジスタは、表示の妨げとならないように、各画素の開口領域ではなく、非開口領域内に配置される。
【００１０】
ここに、トランジスタにおいて半導体層は、チャネル領域、データ線側ソースドレイン領域及び画素電極側ソースドレイン領域を有する。データ線側ソースドレイン領域はデータ線と互いに電気的に接続され、画素電極側ソースドレイン領域は画素電極と互いに電気的に接続される。
【００１１】
そして、本発明の電気光学装置用基板では、半導体層の上層側に第１ゲート電極が、半導体層の下層側には第２ゲート電極が設けられることにより、トランジスタはダブルゲート或いはデュアルゲート構造を有する。走査線は、第１ゲート電極及び第２ゲート電極に電気的に接続され、上述したような電気光学装置の動作時に、これら第１及び第２ゲート電極の各々に走査信号が供給され、トランジスタはオン状態となる。この状態で、第１及び第２ゲート電極の各々には走査信号に応じたゲート電圧が印加され、半導体層のチャネル領域における上面側及び下面側の両方にチャネルを形成できる。この結果、仮に半導体層のチャネル領域における上面側のみにチャネルが形成される場合と比較して、トランジスタの動作時にチャネル領域に流れる電流、即ちオン電流を大きくすることができる。
【００１２】
本発明では特に、データ線が、トランジスタよりも下層側で、更に第２ゲート電極より下層側に配置される。データ線は、基板上で平面的に見て各走査線が延在する第１方向（即ち、例えば、行方向（後述する各図におけるＸ方向））に交差する第２方向（即ち、例えば、列方向（後述する各図におけるＹ方向））に沿って延在する。
【００１３】
データ線及び第２ゲート電極のうち少なくとも一方が遮光性材料より形成されるのが好ましい。このように構成すれば、データ線及び第２ゲート電極のうち少なくとも一方によって、基板における裏面反射や、複板式のプロジェクタ等で他の電気光学装置から発せられ合成光学系を突き抜けてくる光などの、戻り光に対して半導体層の少なくとも一部を殆ど或いは完全に遮光できる。これにより、第２ゲート電極及びデータ線のうち少なくとも一方を、本来のゲート電極又は画像信号を供給する信号線としての機能に加えて、戻り光に対するトランジスタの遮光膜として機能させることが可能である。従って、上述の如き動作時に、トランジスタにおける光リーク電流は低減され、コントラスト比を向上させることができ、高品位の画像表示が可能となる。また、第２ゲート電極及びデータ線とは別途に、半導体層の下層側に遮光膜の設置は少なくとも部分的に不要となるため、この分だけ画素の積層構造を簡略化させることができる。
【００１４】
加えて、このような構成によれば、第２ゲート電極及びデータ線によって、各画素における開口領域の縁部分を、言い換えれば非開口領域の輪郭部分を、部分的に規定することも可能となる。これにより、この縁部分についてのトランジスタの上側或いは、データ線や第２ゲート電極とは別途にトランジスタの下側に形成される遮光膜や、対向基板側に形成されるブラックマトリクス或いはブラックマスクを部分的に省略することも可能となる。この意味からも、基板上における積層構造や電気光学装置の全体構造の単純化を図れる。
【００１５】
また、本発明では、第２ゲート電極は、画素の積層構造の下層側から上層側に向かう積層方向で、半導体層とデータ線との間に介在させて、半導体層に対して少なくともチャネル領域に重なるように配置することができる。よって、半導体層に対して、それよりも下層側に近接して配置されるデータ線からの電磁的な干渉を、第２ゲート電極によって、第２ゲート電極が介在しない構成と比較して、低減することができる。或いは、半導体層に加えてそれよりも上層側でデータ線と近接する、例えば第１ゲート電極や走査線について、データ線からの電磁的な干渉を、第２ゲート電極によってより低減することができる。
【００１６】
このように、本発明では、第２ゲート電極は、データ線からの電磁的な干渉を低減するシールド機能を有する。よって、データ線からの電磁的な干渉により、走査線における走査信号にノイズが発生したり、このような走査信号のノイズに加えて第１ゲート電極や半導体層に対する当該電磁的干渉により、トランジスタの動作不良が生じるのを防止することが可能となる。その結果、このようなトランジスタの動作不良等により、各画素において表示不良が発生するのを防止する、或いは表示不良として視認されない程度に、当該不具合を抑制することができる。
【００１７】
更に、本発明では、データ線は、トランジスタよりも下層側に配置されるので、データ線とトランジスタのデータ線側ソースドレイン領域とを電気的に接続するコンタクトホールをトランジスタよりも下層側に設けることができる、言い換えれば、トランジスタよりも上層側に設ける必要がない。よって、トランジスタよりも上層側に配置される蓄積容量を、基板上で平面的に見て、データ線とデータ線側ソースドレイン領域とを電気的に接続するコンタクトホールと重なるように形成できる、即ち、基板上のより広い面積に蓄積容量を形成できる。従って、蓄積容量の容量を増加させることができる。その結果、コントラストやフリッカといった表示特性、即ち表示品質の向上が可能となる。
【００１８】
加えて、このように、データ線とデータ線側ソースドレイン領域とを電気的に接続するコンタクトホールをトランジスタの上層側に設ける必要がないので、トランジスタの上層側に配置された、例えば上側電極に電気的に接続された容量線等の配線を比較的自由に平面レイアウトすることが可能となる。よって、例えば配線幅を狭める等の、開口領域を広げる即ち各画素の開口率（即ち、各画素における全領域に対する開口領域の比率）を向上させるレイアウトが可能となる。
【００１９】
以上の結果、基板上において、トランジスタを良好に動作させ且つオン電流を増加させる等の各種の利点を得つつ、積層構造を単純化することが可能となる。その結果、各画素において高品位の画像表示が可能となり、製造プロセスをより簡略化させることもできる。
【００２０】
本発明の電気光学装置用基板の一態様では、前記走査線は、前記第１及び第２ゲート電極の少なくとも一方と同一膜からなる。
【００２１】
この態様によれば、走査線は、第１及び第２ゲート電極のうち少なくとも一方と同層に配置されて、同一膜により形成される。ここにいう「同一膜」とは、製造工程における同一機会に成膜される膜を意味し、同一種類の膜である。
【００２２】
よって、走査線が第１又は第２ゲート電極とは別層に配置される場合と比較して、画素の積層構造をより簡略化させることが可能となる。
【００２３】
本発明の電気光学装置用基板の他の態様では、前記データ線は、前記半導体層に対して少なくとも部分的に重なるように配置される。
【００２４】
この態様によれば、戻り光を、第２ゲート電極に加えてデータ線によっても遮ることにより、第２ゲート電極のみによって遮る場合と比較して、半導体層に入射する光をより低減することができる。より具体的には、データ線が半導体層に対して重ねて配置されない場合と比較して、半導体層に入射される光の量を、より広い領域で低減することができる。或いは、半導体層のうち、第２ゲート電極が重なる部分に対してデータ線も重なるように配置することで、第２ゲート電極のみによって遮る場合と比較して、入射する光をより低減することができる。
【００２５】
更に、データ線を半導体層に対して重ねて配置することで、非開口領域をより小さくして、開口領域をより大きく確保することができる。従って、開口率を向上させることが可能となる。
【００２６】
また、このようにデータ線を配置する場合、半導体層においてデータ線と重なるように配置される部分は、積層方向でよりデータ線に近接して配置されるため、データ線からの電磁的な干渉はより大きくなるおそれがある。この態様では、半導体層においてデータ線と重なるように配置される部分に対して、積層方向で、この部分とデータ線との間に、第２ゲート電極を介在するように配置することで、データ線からの電磁的な干渉を低減することができる。
【００２７】
本発明の電気光学装置用基板の他の態様では、前記第２ゲート電極は、前記半導体層に対して、前記チャネル領域から前記データ線側ソースドレイン領域及び前記画素電極側ソースドレイン領域のうち少なくとも一方と重なるように配置される。
【００２８】
この態様によれば、半導体層において、戻り光のうちこの半導体層に入射する光を、チャネル領域に加えてデータ線側及び画素電極側ソースドレイン領域のうち、少なくとも一方についても、第２ゲート電極によって、少なくとも部分的に遮光することが可能となる。従って、半導体層に入射される光の量を、より広い領域で遮光することにより、より低減することができる。
【００２９】
また、半導体層において、チャネル領域に加えてデータ線側及び画素電極側ソースドレイン領域のうち少なくとも一方についても、少なくとも部分的に、積層方向でデータ線との間に第２ゲート電極が介在するように配置することができる。よって、この態様では、半導体層においてより広い領域で、データ線からの電磁的な干渉を、第２ゲート電極によって低減することが可能となる。
【００３０】
本発明の電気光学装置用基板の他の態様では、前記トランジスタは前記第２方向に沿って配置される。
【００３１】
この態様によれば、基板上において、トランジスタをデータ線より上層側にこれと同方向に沿って延在するデータ線と重ねて配置することが可能となる。従って、データ線によって戻り光を遮ることで、トランジスタの半導体層に対して入射する光をより低減すると共に、より開口率を向上させることができる。
【００３２】
この場合、データ線に沿って配置される各画素において、半導体層は概ね全体的にデータ線に対して重ねて配置されることとなる。従って、半導体層は概ね全体的に、積層方向でデータ線により近接し、データ線からの電磁的な干渉もより大きくなるおそれがある。
【００３３】
この態様では、トランジスタの半導体層は、チャネル長がデータ線と同方向に沿って配置され、チャネル領域に重なる第２ゲート電極もデータ線と同方向に沿って延在するように配置される。よって、特に第２ゲート電極を、半導体層のチャネル領域に加えてデータ線側及び画素電極側ソースドレイン領域に重なるように配置するのが好ましい。このような構成によれば、半導体層のチャネル領域に加えてデータ線側及び画素電極側ソースドレイン領域に対して、積層方向で、データ線との間に第２ゲート電極を介在させて配置することができる。その結果、半導体層のチャネル領域に加えてデータ線側及び画素電極側ソースドレイン領域に対して、表示不良として視認される程度のトランジスタの動作不良が発生しないように、データ線からの電磁的な干渉を低減することが可能となる。
【００３４】
本発明の電気光学装置用基板の他の態様では、前記第２ゲート電極及び前記データ線のうち少なくとも一方は遮光性の導電材料を含んでなる。
【００３５】
この態様によれば、データ線及び第２ゲート電極のうち少なくとも一方を、戻り光に対する遮光膜として機能させることにより、半導体層の少なくとも一部に入射する光を低減することが可能となる。
【００３６】
この、データ線及び第２ゲート電極のうち少なくとも一方が遮光性導電材料を含む態様では、前記導電材料には、高融点金属材料が含まれるように構成してもよい。
【００３７】
このように構成すれば、データ線及び第２ゲート電極のうち少なくとも一方について、例えばタングステン（Ｗ）、チタン（Ｔｉ）、チタンナイトライド（ＴｉＮ）等の高融点金属材料を含んでなるので、遮光性能を高めることができる。
【００３８】
本発明の電気光学装置用基板の他の態様では、前記第１及び第２ゲート電極は互いに電気的に接続される。
【００３９】
この態様によれば、第１及び第２ゲート電極に共通に走査線を設けることが可能となる。従って、仮に第１及び第２ゲート電極の各々に対応して別個に２種の走査線を設ける構成と比較して、画素の積層構造をより簡略化させることが可能となる。また、既に説明したような電気光学装置の動作において、２種の走査線に別個の走査信号が供給されることにより、互いの走査線で夫々信号遅延等が生じることにより、２種のゲート電極に対し信号の供給タイミングがずれて、各画素において表示不良が生じる不具合を防止することができる。
【００４０】
本発明の電気光学装置用基板の他の態様では、前記半導体層は、前記チャネル領域及び前記データ線側ソースドレイン領域間に形成されたデータ線側ＬＤＤ領域と、前記チャネル領域及び前記画素電極側ソースドレイン領域間に形成された画素電極側ＬＤＤ領域とを有する。
【００４１】
この態様によれば、トランジスタはＬＤＤ構造を有する。即ち、データ線側ＬＤＤ領域及び画素電極側ＬＤＤ領域は、例えばイオンインプランテーション法等の不純物打ち込みによって半導体層にデータ線側ソースドレイン領域及び画素電極側ソースドレイン領域よりも少量の不純物を打ち込んでなる低濃度不純物領域である。よって、トランジスタの非動作時において、データ線側ソースドレイン領域及び画素電極側ソースドレイン領域に流れるオフ電流を低減し、且つトランジスタの飽和動作時におけるドレイン端の電界緩和を低減でき、ホットキャリア現象による閾値の上昇（トランジスタ特性劣化に関する信頼性上の課題）に起因したオン電流の低下を抑制できる。その結果、トランジスタのオン電流をより増加させることが可能となる。
【００４２】
本発明の電気光学装置は上記課題を解決するために、上述した本発明の電気光学装置用基板（但し、その各種態様も含む）を備える。
【００４３】
本発明の電気光学装置によれば、上述した本発明の電気光学装置用基板を備えているため、高品質な画像を表示可能な電気光学装置を提供することができる。
【００４４】
本発明の電子機器は上記課題を解決するために、上述した本発明の電気光学装置を具備してなる。
【００４５】
本発明の電子機器によれば、上述した本発明の電気光学装置を具備してなるので、高品質な表示を行うことが可能な、投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなど、更には電気光学装置を露光用ヘッドとして用いたプリンタ、コピー、ファクシミリ等の画像形成装置などの各種電子機器を実現できる。また、本発明に係る電子機器として、例えば電子ペーパなどの電気泳動装置等も実現することが可能である。
【００４６】
本発明の作用及び他の利得は次に説明する実施するための最良の形態から明らかにされる。
【発明を実施するための最良の形態】
【００４７】
以下では、本発明の実施形態について図を参照しつつ説明する。以下の実施形態では、本発明の電気光学装置の一例である駆動回路内蔵型のＴＦＴアクティブマトリクス駆動方式の液晶装置を例にとる。
【００４８】
本実施形態における液晶装置の全体構成について、図１及び図２を参照して説明する。ここに、図１は、ＴＦＴアレイ基板をその上に形成された各構成要素と共に、対向基板の側から見た液晶装置の概略的な平面図であり、図２は、図１のＨ−Ｈ’断面図である。
【００４９】
図１及び図２において、液晶装置は、対向配置されたＴＦＴアレイ基板１０と対向基板２０とから構成されている。ＴＦＴアレイ基板１０は例えば石英基板、ガラス基板、シリコン基板等の透明基板である。対向基板２０も例えばＴＦＴアレイ基板１０と同様の材料からなる透明基板である。ＴＦＴアレイ基板１０と対向基板２０との間には液晶層５０が封入されており、ＴＦＴアレイ基板１０と対向基板２０とは、画像表示領域１０ａの周囲に位置するシール領域に設けられたシール材５２により相互に接着されている。
【００５０】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、例えばシール材５２中には、ＴＦＴアレイ基板１０と対向基板２０との間隔（基板間ギャップ）を所定値とするためのグラスファイバ或いはガラスビーズ等のギャップ材５６が散布されている。本実施形態に係る液晶装置は、プロジェクタのライトバルブ用として小型で拡大表示を行うのに適している。
【００５１】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００５２】
ＴＦＴアレイ基板１０上における、画像表示領域１０ａの周辺に位置する周辺領域には、データ線駆動回路１０１及びサンプリング回路７、走査線駆動回路１０４、外部回路接続端子１０２が夫々形成される。
【００５３】
ＴＦＴアレイ基板１０上における周辺領域において、シール領域より外周側に、データ線駆動回路１０１及び外部回路接続端子１０２が、ＴＦＴアレイ基板１０の一辺に沿って設けられている。また、ＴＦＴアレイ基板１０上の周辺領域のうちシール領域より内側に位置する領域には、ＴＦＴアレイ基板１０の一辺に沿う画像表示領域１０ａの一辺に沿って且つ額縁遮光膜５３に覆われるようにしてサンプリング回路７が配置される。
【００５４】
また、走査線駆動回路１０４は、ＴＦＴアレイ基板１０の一辺に隣接する２辺に沿い、且つ、額縁遮光膜５３に覆われるようにして設けられている。更に、このように画像表示領域１０ａの両側に設けられた二つの走査線駆動回路１０４間を電気的に接続するため、ＴＦＴアレイ基板１０の残る一辺に沿い、且つ額縁遮光膜５３に覆われるようにして複数の配線１０５が設けられている。
【００５５】
また、ＴＦＴアレイ基板１０上の周辺領域において、対向基板２０の４つのコーナー部に対向する領域に、上下導通端子１０６が配置されると共に、このＴＦＴアレイ基板１０及び対向基板２０間には上下導通材が上下導通端子１０６に対応して該端子１０６に電気的に接続されて設けられる。
【００５６】
図２において、ＴＦＴアレイ基板１０上には、駆動素子である画素スイッチング用のＴＦＴや走査線、データ線等の配線が作り込まれた積層構造が形成される。画像表示領域１０ａには、画素スイッチング用ＴＦＴや走査線、データ線等の配線の上層に画素電極９ａがマトリクス状に設けられている。画素電極９ａ上には、配向膜１６が形成されている。尚、本実施形態では、画素スイッチング素子はＴＦＴのほか、各種トランジスタにより構成されてもよい。
【００５７】
他方、対向基板２０におけるＴＦＴアレイ基板１０との対向面上に、遮光膜２３が形成されている。遮光膜２３は、例えば遮光性金属膜等から形成されており、対向基板２０上の画像表示領域１０ａ内で、例えば格子状等にパターニングされている。そして、遮光膜２３上（図２中遮光膜２３より下側）に、ＩＴＯ等の透明材料からなる対向電極２１が複数の画素電極９ａと対向して例えばベタ状に形成され、更に対向電極２１上（図２中対向電極２１より下側）には配向膜２２が形成されている。
【００５８】
液晶層５０は、例えば一種又は数種類のネマティック液晶を混合した液晶からなり、これら一対の配向膜間で、所定の配向状態をとる。そして、液晶装置の駆動時、夫々に電圧が印加されることで、画素電極９ａと対向電極２１との間には液晶保持容量が形成される。
【００５９】
尚、ここでは図示しないが、ＴＦＴアレイ基板１０上には、データ線駆動回路１０１、走査線駆動回路１０４の他に、複数のデータ線に所定電圧レベルのプリチャージ信号を画像信号に先行して各々供給するプリチャージ回路、製造途中や出荷時の当該液晶装置の品質、欠陥等を検査するための検査回路等が形成されていてもよい。
【００６０】
次に、本実施形態に係る液晶装置の画素部の電気的な構成について、図３を参照して説明する。ここに図３は、本実施形態に係る液晶装置の画像表示領域を構成するマトリクス状に形成された複数の画素における各種素子、配線等の等価回路図である。
【００６１】
図３において、画像表示領域１０ａを構成するマトリクス状に形成された複数の画素の夫々には、画素電極９ａ及び本発明に係る「トランジスタ」の一例としてのＴＦＴ３０が形成されている。本実施形態では、後述するようにＴＦＴ３０は走査線１１ａに電気的に接続される第１ゲート電極３ａ及び第２ゲート電極３ｂを有するダブルゲート構造を有し、画素電極９ａに電気的に接続されており、液晶装置の動作時に画素電極９ａをスイッチング制御する。画像信号が供給されるデータ線６ａは、ＴＦＴ３０のソースに電気的に接続されている。データ線６ａに書き込む画像信号Ｓ１、Ｓ２、…、Ｓｎは、この順に線順次に供給しても構わないし、相隣接する複数のデータ線６ａ同士に対して、グループ毎に供給するようにしてもよい。
【００６２】
ＴＦＴ３０の第１ゲート電極３ａ及び第２ゲート電極３ｂに走査線１１ａが電気的に接続されており、本実施形態に係る液晶装置は、所定のタイミングで、走査線１１ａにパルス的に走査信号Ｇ１、Ｇ２、…、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、…、Ｓｎが所定のタイミングで書き込まれる。画素電極９ａを介して電気光学物質の一例としての液晶に書き込まれた所定レベルの画像信号Ｓ１、Ｓ２、…、Ｓｎは、対向基板に形成された対向電極との間で一定期間保持される。
【００６３】
液晶層５０（図２参照）を構成する液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶装置からは画像信号に応じたコントラストをもつ光が出射される。
【００６４】
ここで保持された画像信号がリークすることを防ぐために、画素電極９ａと対向電極２１（図２参照）との間に形成される液晶容量に対して電気的に並列に蓄積容量７０が付加されている。蓄積容量７０は、画像信号の供給に応じて各画素電極９ａの電位を一時的に保持する保持容量として機能する容量素子である。蓄積容量７０の一方の電極は、画素電極９ａと電気的に並列してＴＦＴ３０のドレインに接続され、他方の電極は、定電位となるように、電位固定の容量線３００に接続されている。蓄積容量７０によれば、画素電極９ａにおける電位保持特性が向上し、コントラスト向上やフリッカの低減といった表示特性の向上が可能となる。尚、蓄積容量７０は、ＴＦＴ３０へ入射する光を遮る内蔵遮光膜としても機能する。
【００６５】
次に、上述の動作を実現する画素部の具体的構成について、図４から図７を参照して説明する。ここに図４は、本実施形態に係る液晶装置におけるデータ線、走査線、画素電極等が形成されたＴＦＴアレイ基板の相隣接する複数の画素群の平面図であり、図５は、ＴＦＴとデータ線との配置関係に着目して、その構成を示す平面図である。また、図６は、図４のＡ−Ａ’線での断面図である。また、図７は、図４のＢ−Ｂ’線断面部分における第１及び第２ゲート電極の構成を示す断面図である。
【００６６】
尚、本実施形態の説明において参照する各図においては、各層・各部材を図面上で認識可能な程度の大きさとするため、該各層・各部材ごとに縮尺を異ならしめてある。また、図４から図７を参照して、図１又は図２を参照して説明した構成中、ＴＦＴアレイ基板１０側の構成のみについて説明するが、説明の便宜上、図４及び図６では画素電極９ａより上側に位置する部分の図示を省略している。また、図５では、ＴＦＴ３０とデータ線６ａとの配置関係に着目して、これらの構成のみを図示し、ＴＦＴ３０より上層側の構成については図示を省略してある。更に、図７では、図４のＢ−Ｂ’線断面部分における第１ゲート電極３ａ及び第２ゲート電極３ｂに着目してその構成を示すと共に、第１ゲート電極３ａより上層側の構成については図示を省略してある。
【００６７】
ここに、図４又は図６において、ＴＦＴアレイ基板１０から画素電極９ａまでの部分が、本発明に係る「電気光学装置用基板」の一例を構成している。図４及び図６では、図２又は図３を参照して説明した画素部の各回路要素が、パターン化され、積層された導電膜としてＴＦＴアレイ基板１０上に構築されている。ＴＦＴアレイ基板１０は、例えば、ガラス基板、石英基板、ＳＯＩ基板、半導体基板等からなり、例えばガラス基板や石英基板からなる対向基板２０と対向配置されている。また、各回路要素は、下から順に、データ線６ａを含む第１層、ＴＦＴ３０等を含む第２層、蓄積容量７０等を含む第３層、画素電極９ａ等を含む第４層からなる。また、第１層−第２層間には下地絶縁膜１２、第２層−第３層間には第１層間絶縁膜４１、及び第３層−第４層間には第２層間絶縁膜４２がそれぞれ設けられ、上述の各要素間が短絡することを防止している。
【００６８】
図４に示すように、データ線６ａ、走査線１１ａ、ＴＦＴ３０、容量線３００及び下側電極７１は、ＴＦＴアレイ基板１０上で平面的に見て、画素電極９ａに対応する各画素の開口領域（即ち、各画素において、表示に実際に寄与する光が透過又は反射される領域）を囲む非開口領域内に配置されている。即ち、データ線６ａ、走査線３ａ、ＴＦＴ３０、容量線３００及び下側電極７１は、表示の妨げとならないように、各画素の開口領域ではなく、非開口領域内に配置されている。
【００６９】
以下に、画素の積層構造における各層の構成についてより詳細に説明する。
【００７０】
（第１層の構成―データ線―）
図４又は図６において、第１層は、データ線６ａを含んでなる。データ線６ａは、図４のＹ方向に沿って延在している。データ線６ａは、例えばタングステン（Ｗ）、チタン（Ｔｉ）、クロム（Ｃｒ）、タンタル（Ｔａ）、モリブデン（Ｍｏ）等の高融点金属のうちの少なくとも一つを含む金属単体、合金、金属ナイトライド、金属シリサイド、ポリシリサイド又はこれらの積層体等により形成することができる。
【００７１】
（第２層の構成―ＴＦＴ等―）
図４又は図６において、第２層は、ＴＦＴ３０及び走査線１１ａが配置されており、ＴＦＴ３０は、半導体層１ａ、半導体層１ａに対して上層側に第１ゲート絶縁膜２ａを介して配置される第１ゲート電極３ａ、及び半導体層１ａに対して下層側に第２ゲート絶縁膜２ｂを介して配置される第２ゲート電極３ｂを含んで構成されている。尚、第２ゲート絶縁膜２ｂは、第２ゲート電極３ｂより上層側で、例えば下地絶縁膜１２上のほぼ全面に亘って形成される。また、第２ゲート電極３ｂが存在する下地絶縁膜１２上の見かけ上の凹凸形状に基づいて、第２ゲート絶縁膜２ｂの表面に現れる凹凸を低減するために、第２ゲート絶縁膜２ｂの表面は、好ましくはＣＭＰや研磨処理、スピンコート処理等の平坦化処理によって、平坦化されるのがよい。
【００７２】
半導体層１ａは、例えばポリシリコンからなり、好ましくは図４に示すように、データ線６ａの延在方向と同方向、即ちＹ方向に沿って延在させて形成される。より具体的には、半導体層１ａは、図４中Ｙ方向に沿ったチャネル長を有するチャネル領域１ａ’を有し、更にはＹ方向に沿って、データ線側ソースドレイン領域１ｄ、データ線側ＬＤＤ領域１ｂ、画素電極側ＬＤＤ領域１ｃ及び画素電極側ソースドレイン領域１ｅが配置されている。即ち、ＴＦＴ３０はＬＤＤ構造を有している。
【００７３】
このような半導体層１ａの構成によれば、データ線側ソースドレイン領域１ｄ及び画素電極側ソースドレイン領域１ｅは、チャネル領域１ａ’を基準として、Ｙ方向に沿ってほぼミラー対称に形成されている。データ線側ＬＤＤ領域１ｂは、チャネル領域１ａ’及びデータ線側ソースドレイン領域１ｄ間に形成されている。画素電極側ＬＤＤ領域１ｃは、チャネル領域１ａ’及び画素電極側ソースドレイン領域１ｅ間に形成されている。データ線側ＬＤＤ領域１ｂ、画素電極側ＬＤＤ領域１ｃ、データ線側ソースドレイン領域１ｄ及び画素電極側ソースドレイン領域１ｅは、例えばイオンインプランテーション法等の不純物打ち込みによって半導体層１ａに不純物を打ち込んでなる不純物領域である。データ線側ＬＤＤ領域１ｂ及び画素電極側ＬＤＤ領域１ｃはそれぞれ、データ線側ソースドレイン領域１ｄ及び画素電極側ソースドレイン領域１ｅよりも不純物の少ない低濃度な不純物領域として形成される。このような不純物領域によれば、ＴＦＴ３０の非動作時において、ソース領域及びドレイン領域に流れるオフ電流を低減し、且つＴＦＴ３０の動作時に流れるオン電流の低下を抑制できる。
【００７４】
尚、ＴＦＴ３０は、ＬＤＤ構造を有することが好ましいが、データ線側ＬＤＤ領域１ｂ、画素電極側ＬＤＤ領域１ｃに不純物打ち込みを行わないオフセット構造であってもよいし、ゲート電極をマスクとして不純物を高濃度に打ち込んでデータ線側ソースドレイン領域及び画素電極側ソースドレイン領域を形成する自己整合型であってもよい。
【００７５】
ＴＦＴ３０のデータ線側ドレイン領域１ｄとデータ線６ａとは互いに、第２ゲート絶縁膜２ｂ及び下地絶縁膜１２に形成されたコンタクトホール８１を介して電気的に接続される。コンタクトホール８１内は、導電材料でプラグされており、データ線側ドレイン領域１ｄとデータ線６ａとは互いに、良好に電気的に接続されている。
【００７６】
ここに、本実施形態では、データ線６ａは、半導体層１ａに対して少なくとも部分的に重なるように配置される。より具体的には、図４又は図５に示すように、例えばデータ線６ａとＴＦＴ３０とは平面的に見て重ねて配置される。よって、本実施形態では、開口領域をより大きく確保して、画素の開口率をより向上させることが可能となる。
【００７７】
また、本実施形態では、データ線６ａ及び第２ゲート電極３ｂのうち少なくとも一方が、遮光性材料により形成されるのが好ましい。例えば上述ではデータ線６ａが高融点金属材料を含んで形成される構成について説明したが、これと同様の材料を含んで第２ゲート電極３ｂも形成されてもよいし、第２ゲート電極３ｂのみが前述の高融点金属材料を含むように形成してもよい。このように高融点金属材料により、データ線６ａ又は第２ゲート電極３ｂを形成することで、その遮光性能を高めることができる。加えて、データ線６ａ及び第２ゲート電極３ｂの両方をこのような材料により形成した後に、高温プロセスを行うことが可能である。即ち、例えば、データ線６ａ及び第２ゲート電極３ｂを形成した後にＴＦＴ３０を形成する際、半導体層１ａを、減圧ＣＶＤ（Chemical Vapor Deposition）法等の比較的高温な環境下で行われるプロセスで形成することが可能である。
【００７８】
従って、本実施形態では、データ線６ａ及び第２ゲート電極３ｂのうち少なくとも一方によって、ＴＦＴアレイ基板１０における裏面反射や、複板式のプロジェクタ等で他の電気光学装置から発せられ合成光学系を突き抜けてくる光などの、戻り光に対して半導体層１ａの少なくとも一部を殆ど或いは完全に遮光できる。これにより、第２ゲート電極３ｂ及びデータ線６ａのうち少なくとも一方を、本来のゲート電極又は画像信号を供給する信号線としての機能に加えて、戻り光に対するＴＦＴ３０の遮光膜として機能させることが可能である。従って、上述の如き動作時に、トランジスタにおける光リーク電流は低減され、コントラスト比を向上させることができ、高品位の画像表示が可能となる。
【００７９】
特に、図５に示すように、データ線６ａとＴＦＴ３０とを重ねて配置することで、半導体層１ａを第２ゲート電極３ｂに加えてデータ線６ａによっても、戻り光を遮ることができる。従って、半導体層１ａのチャネル領域１ａ’に重なる第２ゲート電極３ｂのみで遮る場合と比較して、半導体層１ａに入射する光をより低減することができる。より具体的には、データ線６ａが半導体層１ａに対して重ねて配置されない場合と比較して、半導体層１ａに入射される光の量を、より広い領域で低減することができる。或いは、半導体層１ａのうち、第２ゲート電極３ｂが重なる部分に対してデータ線６ａも重なるように配置することで、第２ゲート電極３ｂのみによって遮る場合と比較して、入射する光をより低減することができる。
【００８０】
また、図５に示すように、本実施形態では特に、第２ゲート電極３ｂは、半導体層１ａに対して、チャネル領域１ａ’からデータ線側ソースドレイン領域１ｄ及び画素電極側ソースドレイン領域１ｅの各々に対して重なるように、同図中Ｙ方向に沿って延在する。よって、半導体層１ａにおいて、戻り光のうちこの半導体層１ａに入射する光を、チャネル領域１ａ’に加えてデータ線側及び画素電極側ソースドレイン領域１ｄ及び１ｅの各々のうち少なくとも一部についても、第２ゲート電極３ｂによって遮光することが可能となる。従って、半導体層１ａに入射される光の量を、第２ゲート電極３ｂによってより広い領域で遮光することにより、より低減することができる。
【００８１】
尚、第２ゲート電極３ｂは、チャネル領域１ａ’からデータ線側ソースドレイン領域１ｄ及び画素電極側ソースドレイン領域１ｅの一方と重なるように配置されるようにしてもよい。或いは、第２ゲート電極３ｂは、チャネル領域１ａ’からデータ線側ＬＤＤ領域１ｂ及び画素電極側ＬＤＤ領域１ｃのうち少なくとも一方と重なるように配置されるようにしてもよい。後者については、本願発明者らの研究によれば、半導体層１ａにおける２種のＬＤＤ領域１ｂ及び１ｃのうち特に画素電極側ＬＤＤ領域１ｃでは相対的に光リーク電流が発生し易い傾向にあるため、特に画素電極側ＬＤＤ領域１ｃに、少なくとも第２ゲート電極３ｂがチャネル領域１ａ’から延在して重なるように配置されるのが好ましい。
【００８２】
また、本実施形態では、第２ゲート電極３ｂ及びデータ線６ａとは別途に、半導体層１ａの下層側に遮光膜の設置は少なくとも部分的に不要となるため、この分だけ画素の積層構造を簡略化させることができる。加えて、第２ゲート電極３ｂ及びデータ線６ａによって、各画素における開口領域の縁部分を、言い換えれば非開口領域の輪郭部分を、部分的に規定することも可能となる。これにより、この縁部分についてのＴＦＴ３０の上側或いは、データ線６ａや第２ゲート電極３ｂとは別途にＴＦＴ３０の下側に形成される遮光膜や、対向基板２０側に形成されるブラックマトリクス或いはブラックマスク等の遮光膜２３を部分的に省略することも可能となる。この意味からも、画素の積層構造や液晶装置の全体構造の単純化を図れる。
【００８３】
ここに、図５に示すように、ＴＦＴ３０とデータ線６ａとを重ねて配置する構成では、半導体層１ａは概ね全体的にデータ線６ａに対して重ねて配置されることとなる。従って、図６中で例えばＴＦＴアレイ基板１０の基板面に対して垂直をなす積層方向でみれば、半導体層１ａは概ね全体的にデータ線６ａにより近接し、データ線６ａからの電磁的な干渉が大きくなるおそれがある。
【００８４】
図５及び図６に示すように、本実施形態では特に、第２ゲート電極３ｂは、積層方向で、半導体層１ａとデータ線６ａとの間に介在すると共に、半導体層１ａに対して少なくともチャネル領域１ａ’に重なるように配置されている。よって、半導体層１ａに対するデータ線６ａからの電磁的な干渉を、第２ゲート電極３ｂによって、第２ゲート電極３ｂが介在しない構成と比較して、低減することができる。上述したように、図５において、第２ゲート電極３ｂは、半導体層１ａにおいて、チャネル領域１ａ’に加えてチャネル領域１ａ’外の領域にも重なるように連続的に延在し、チャネル領域１ａ’外の領域でも少なくとも部分的に、積層方向でデータ線６ａとの間にこの第２ゲート電極３ｂが介在するように配置されている。よって、半導体層１ａにおいてより広い領域で、データ線６ａからの電磁的な干渉を、第２ゲート電極３ｂによって低減することが可能となる。
【００８５】
或いは、このような構成によれば、半導体層１ａに加えてそれよりも上層側でデータ線６ａと近接する、例えば第１ゲート電極３ａや走査線１１ａについて、データ線６ａからの電磁的な干渉を、第２ゲート電極３ｂによってより低減することができる。よって、本実施形態では、データ線６ａからの電磁的な干渉により、走査線１１ａにおける走査信号にノイズが発生したり、このような走査信号のノイズに加えて第１ゲート電極３ａや半導体層１ａに対する当該電磁的干渉により、ＴＦＴ３０の動作不良が生じるのを防止することが可能となる。その結果、ＴＦＴ３０の動作不良等により、各画素において表示不良が発生するのを防止する、或いは表示不良として視認されない程度に、当該不具合を抑制することができる。
【００８６】
更に、図４又は図５に示すように、本実施形態では特に、第１ゲート電極３ａは走査線１１ａの一部として好ましくは一体的に形成されている。
【００８７】
即ち、図４から図６において、走査線１１ａは、半導体層１ａよりも第１ゲート絶縁膜２ａを介して上層側に、Ｘ方向に沿って延在させて、例えば導電性ポリシリコンから形成されている。また、第１ゲート電極３ａは、走査線１１ａにおける、半導体層１ａ上でチャネル領域１ａ’に重なるように配置される部分により形成されている。
【００８８】
よって、第２層において、第１ゲート電極３ａ及び走査線１１ａは同層に配置されるため、これらが別層に配置される場合と比較して、画素の積層構造をより簡略化させることが可能となる。また、このように走査線１１ａ及び第１ゲート電極３ａが一体的に形成されることで、液晶装置の製造プロセスをより簡略化させることができる。尚、本実施形態では、走査線１１ａは上述した構成と同様に、第２ゲート電極３ｂと一体的に同層に配置されて同一膜により形成されるようにしてもよい。
【００８９】
加えて、図７に示すように、本実施形態では特に、第２ゲート電極３ｂと第１ゲート電極３ａとは、第２ゲート絶縁膜２ｂに開孔されるコンタクトホール８１０を介して電気的に接続されている。よって、第１ゲート電極３ａ及び第２ゲート電極３ｂに共通に走査線１１ａを設けることが可能となる。従って、仮に第１ゲート電極３ａ及び第２ゲート電極３ｂの各々に対応して別個に２種の走査線を設ける構成と比較して、画素の積層構造をより簡略化させることが可能となる。また、既に説明したような液晶装置の動作において、２種の走査線に別個の走査信号が供給されることにより、互いの走査線で夫々信号遅延等が生じることにより、２種のゲート電極３ａ及び３ｂに対し信号の供給タイミングがずれて、各画素において表示不良が生じる不具合を防止することができる。
【００９０】
また、このように半導体層１ａのチャネル領域１ａ’から画素電極側ＬＤＤ領域１ｃに沿って、コンタクトホール８１０を開孔し、このコンタクトホール８１０内に第１ゲート電極３ａの一部が形成されることで、チャネル領域１ａ’及び画素電極側ＬＤＤ領域１ｃに対して進行する光を、半導体層１ａの両側において遮光することが可能となる。
【００９１】
尚、本実施形態では、走査線１１ａは第１ゲート電極３ａ及び第２ゲート電極３ｂの各々に対して２種設けられる構成を適用してもよい。
【００９２】
このように、ＴＦＴ３０は、ダブルゲート構造を有する。よって、上述したような液晶装置の動作時に、第１ゲート電極３ａ及び第２ゲート電極３ｂの各々に、走査線１１ａより走査信号が供給され、ＴＦＴ３０はオン状態となる。この状態で、第１ゲート電極３ａ及び第２ゲート電極３ｂの各々には走査信号に応じたゲート電圧が印加され、半導体層１ａのチャネル領域１ａ’における上面側及び下面側の両方にチャネルを形成できる。よって、仮に半導体層１ａのチャネル領域１ａ’における上面側のみにチャネルが形成される場合と比較して、ＴＦＴ３０の動作時にチャネル領域１ａ’に流れる電流、即ちオン電流を大きくすることができる。
【００９３】
ここに、下地絶縁膜１２は、例えばシリコン酸化膜等からなり、第１層と第２層とを層間絶縁する。下地絶縁膜１２の表面は、好ましくはＣＭＰや研磨処理、スピンコート処理等の平坦化処理によって、平坦化される。このような構成によれば、データ線６ａの厚さを厚くすることによりデータ線６ａの低抵抗化を図ることができる。即ち、データ線６ａの厚さを厚くしても、下地絶縁膜１２の表面は、平坦化処理によって平坦化されるので、データ線６ａの厚さに起因した凹凸によって、液晶層５０の液晶分子の配向状態に乱れを生じさせる可能性を低減することができる。
【００９４】
尚、以上の説明したようなＴＦＴ３０の構成について、半導体層１ａは非単結晶層でも単結晶層でも構わない。単結晶層の形成には、貼り合わせ法等の公知の方法を用いることができる。半導体層１ａを単結晶層とすることで、特に周辺回路の高性能化を図ることができる。
【００９５】
また、本実施形態では、その詳細な構成については図示を省略するが、ＴＦＴアレイ基板１０における上層側の表面に、凹部を形成し、この凹部内にデータ線６ａが埋め込まれるように形成してもよい。この場合、データ線６ａの厚さに起因して、下地絶縁膜１２の表面に生じる凹凸を低減或いはこのような凹凸の発生を防止できる。
【００９６】
（第３層の構成―蓄積容量等―）
図４及び図６において、第３層は、蓄積容量７０で構成されている。蓄積容量７０は、第１層間絶縁膜４１を介してＴＦＴ３０の上層側に設けられており、ＴＦＴ３０の画素電極側ソースドレイン領域１ｅ及び画素電極９ａに電気的に接続される下側電極７１と、容量線３００の一部からなる上側電極が、誘電体膜７５を介して対向配置されることにより形成されている。
【００９７】
下側電極７１は、導電性のポリシリコン膜からなり、第１層間絶縁膜４１に開孔されたコンタクトホール８３を介してＴＦＴ３０の画素電極側ソースドレイン領域１ｅと電気的に接続されている。即ち、下側電極７１は、画素電位とされる画素電位側容量電極として機能する。
【００９８】
図４に示すように、下側電極７１のＹ方向に沿って延在する部分は、第２層間絶縁膜４２を貫通して開孔されたコンタクトホール８５を介して画素電極９ａと電気的に接続されている。即ち、下側電極７１は、画素電位側容量電極としての機能のほか、コンタクトホール８３及び８５を介して、画素電極９ａとＴＦＴ３０の画素電極側ソースドレイン領域１ｅとを電気的に中継接続する機能をもつ。
【００９９】
第１層間絶縁膜４１及び第２層間絶縁膜４２は夫々、例えばＮＳＧ（ノンシリケートガラス）によって形成されている。その他、第１層間絶縁膜４１及び第２層間絶縁膜４２には夫々、ＰＳＧ（リンシリケートガラス）、ＢＳＧ（ボロンシリケートガラス）、ＢＰＳＧ（ボロンリンシリケートガラス）等のシリケートガラス、窒化シリコンや酸化シリコン等を用いることができる。
【０１００】
誘電体膜７５は、例えば膜厚５〜３００ｎｍ程度の比較的薄い窒化シリコン（ＳｉＮ）膜から構成されている。蓄積容量７０を増大させる観点からは、膜の信頼性が十分に得られる限りにおいて、誘電体膜７５は薄いほどよい。
【０１０１】
上側電極は、容量線３００の一部として好ましくは一体的に形成され、下側電極７１と対向配置された固定電位側容量電極として機能する。容量線３００は、平面的に見ると、図４に示すように、データ線６ａの形成領域及び走査線１１ａの形成領域に重ねて、例えば、Ｘ方向及びＹ方向の各々に沿って格子状のパターンとして形成されている。よって、本実施形態によれば、データ線６ａ及び走査線１１ａ上の領域を利用して、容量線３００を配置することで、蓄積容量７０の容量をより大きく確保することができる。また、ＴＦＴ３０の上層側において、より広い領域で、容量線３００によってそれよりも上層側から入射される光を遮光することが可能となる。従って、より確実にＴＦＴ３０の光リーク電流を低減することができる。
【０１０２】
更に、その詳細な構成は図示を省略してあるが、容量線３００は、好ましくは、画素電極９ａが配置された画像表示領域１０ａからその周囲に延設され、定電位源と電気的に接続されて、固定電位とされている。このような定電位源としては、例えば、データ線駆動回路１０１に供給される正電源や負電源等の定電位源でもよいし、対向基板２０の対向電極２１に供給される対向電極電位でもよい。
【０１０３】
尚、下側電極７１は、導電性のポリシリコン膜からなり、上側電極３００はアルミニウム等からなる。即ち、蓄積容量７０は、半導体膜、絶縁体膜及び金属膜が順に積層された例えばＭＩＳ構造を有している。
【０１０４】
図４に示すように、蓄積容量７０は、ＴＦＴアレイ基板１０上で平面的に見てＴＦＴ３０のチャネル領域１ａ’に対向する領域を含む領域に配置され、且つ、ＴＦＴ３０より上層側に配置されている。よって、金属膜からなる上側電極３００により上層側からの入射光に対してＴＦＴ３０を遮光できる。
【０１０５】
また、上述したように、第１層においてデータ線６ａがＴＦＴ３０より下層側に配置され、データ線６ａとＴＦＴ３０のデータ線側ソースドレイン領域１ｄとを電気的に接続するコンタクトホール８１もＴＦＴ３０よりも下層側に設けられる。よって、蓄積容量７０を、平面的に見て、データ線６ａ及びコンタクトホール８１と重なるように、ＴＦＴアレイ基板１０上のより広い面積に形成できる。さらに、これに加えて、容量線３００を上述したように格子状のパターンとしてより広い領域に配線することで、蓄積容量７０の容量を増加させることができる。その結果、コントラストやフリッカといった表示特性、即ち表示品質の向上が可能となる。
【０１０６】
また、このような容量線３００の構成によれば、例えば配線幅を狭める等の、開口領域を広げる即ち各画素の開口率（即ち、各画素における全領域に対する開口領域の比率）を向上させるレイアウトが可能となる。
【０１０７】
（第４層の構成―画素電極等―）
図４及び図６において、第３層の全面には第２層間絶縁膜４２が形成され、更にその上に、第４層として画素電極９ａが形成されている。第２層間絶縁膜４２の表面は、好ましくは下地絶縁膜１２と同様にＣＭＰ等の平坦化処理がなされている。
【０１０８】
画素電極９ａは、縦横に区画配列された開口領域の各々に配置され、その境界にデータ線６ａ及び走査線１１ａが格子状に配列するように形成されている（図４参照）。画素電極９ａは、例えばＩＴＯ等の透明導電膜からなる。
【０１０９】
画素電極９ａは、第２層間絶縁膜４２を貫通するコンタクトホール８５を介して、下側電極７１と電気的に接続されている。更に、下側電極７１は、上述したように、ＴＦＴ３０の画素電極側ソースドレイン領域１ｅと電気的に接続されている。即ち、画素電極９ａとＴＦＴ３０の画素電極側ソースドレイン領域１ｅとは、下側電極７１を中継して中継接続されている。従って、画素電極９ａ及び画素電極側ソースドレイン領域１ｅ間の層間距離が長くなり、多数の中継電極やコンタクトホールで両者間を接続することにより、コンタクトホール内の電気抵抗等や断線による歩留りの低下等の不具合の発生を回避できる。
【０１１０】
以上説明したような、画素の積層構造によれば、ＴＦＴアレイ基板１０上において、ＴＦＴ３０を良好に動作させ且つオン電流を増加させる等の各種の利点を得つつ、積層構造を単純化することが可能となる。その結果、各画素において高品位の画像表示が可能となり、製造プロセスをより簡略化させることもできる。
【０１１１】
次に、上述した電気光学装置である液晶装置を各種の電子機器に適用する場合について説明する。ここに図８は、プロジェクタの構成例を示す平面図である。以下では、この液晶装置をライトバルブとして用いたプロジェクタについて説明する。
【０１１２】
図８に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【０１１３】
液晶パネル１１１０Ｒ、１１１０Ｂ及び１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【０１１４】
ここで、各液晶パネル１１１０Ｒ、１１１０Ｂ及び１１１０Ｇによる表示像について着目すると、液晶パネル１１１０Ｇによる表示像は、液晶パネル１１１０Ｒ、１１１０Ｂによる表示像に対して左右反転することが必要となる。
【０１１５】
尚、液晶パネル１１１０Ｒ、１１１０Ｂ及び１１１０Ｇには、ダイクロイックミラー１１０８によって、Ｒ、Ｇ、Ｂの各原色に対応する光が入射するので、カラーフィルタを設ける必要はない。
【０１１６】
尚、図８を参照して説明した電子機器の他にも、モバイル型のパーソナルコンピュータや、携帯電話、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【０１１７】
また、本発明は上述の各実施形態で説明した液晶装置以外にも反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【０１１８】
本発明は、上述した実施形態に限られるものではなく、請求の範囲及び明細書全体から読み取れる発明の要旨或いは思想に反しない範囲で適宜変更可能であり、そのような変更を伴う電気光学装置用基板、及び該電気光学装置用基板を備えてなる電気光学装置、並びに該電気光学装置を備えた電子機器もまた本発明の技術的範囲に含まれるものである。
【図面の簡単な説明】
【０１１９】
【図１】本実施形態に係る液晶装置の概略的な平面図である。
【図２】図１のＨ−Ｈ’断面図である。
【図３】本実施形態に係る液晶装置の画像表示領域を構成するマトリクス状に形成された複数の画素における各種素子、配線等の等価回路図である。
【図４】本実施形態に係る液晶装置におけるデータ線、走査線、画素電極等が形成されたＴＦＴアレイ基板の相隣接する複数の画素群の平面図である。
【図５】ＴＦＴとデータ線との配置関係に着目して、その構成を示す平面図である。
【図６】図４のＡ−Ａ’線での断面図である。
【図７】Ｂ−Ｂ’線断面部分における第１及び第２ゲート電極の構成を示す断面図である。
【図８】電気光学装置を適用した電子機器の一例たるプロジェクタの構成を示す平面図である。
【符号の説明】
【０１２０】
１ａ…半導体層、１ａ’…チャネル領域、１ｂ…データ線側ＬＤＤ領域、１ｃ…画素電極側ＬＤＤ領域、１ｄ…データ線側ソースドレイン領域、１ｅ…画素電極側ソースドレイン領域、３ａ…第１ゲート電極、３ｂ…第２ゲート電極、１１ａ…走査線、６ａ…データ線、９ａ…画素電極、１０…ＴＦＴアレイ基板、１０ａ…画像表示領域、３０…ＴＦＴ、７０…蓄積容量、７１…下側電極、７５…誘電体膜、３００…上側電極
【図１】
2008191518.tif 000003
【図２】
2008191518.tif 000004
【図３】
2008191518.tif 000005
【図４】
2008191518.tif 000006
【図５】
2008191518.tif 000007
【図６】
2008191518.tif 000008
【図７】
2008191518.tif 000009
【図８】
2008191518.tif 000010